(57)【要約】      （修正有）【課題】基板の取付構造が簡素であり、基板の追加及び取り外し作業を容易に行うことが可能な電子機器筐体への基板取付構造を提供する。【解決手段】電子機器筐体１０への基板の取付構造であり、電子機器筐体１０には内壁面から突出する受け部が設けられ、基板の電子機器筐体１０への挿入終端側から基板を保持した状態で、電子機器筐体１０の開口端１１Ａから挿脱されるフェイスカバー３０を備える。フェイスカバー３０には、受け部に係止される爪体が成形される。爪体は、その一端部がフェイスカバー３０の中央側に近づく方向に弾性変形可能に構成される。フェイスカバー３０の両端部に設けられる爪体の一端部同士の間隔は、爪体がフェイスカバー３０の中央側に近づく方向に弾性変形することで、対向する壁面の受け部同士の間隔より小さくなり、弾性変形を解除することで、受け部同士の間隔より大きくなるものである。【選択図】図１
2019021850.tif 000002
【特許請求の範囲】
【請求項１】
一端が開口しており、その開口端から基板が挿脱可能であり、挿入された基板が取り付けられる電子機器筐体への基板取付構造であって、
前記電子機器筐体には、その開口側の壁部において互いに対向する内壁面のそれぞれに一体に成形され、前記内壁面から突出する受け部が設けられ、
前記基板の前記電子機器筐体への挿入終端側から前記基板を保持した状態で前記電子機器筐体の開口端から挿脱される基板保持枠を備え、
前記基板保持枠には、前記電子機器筐体への挿脱方向と直交する方向の両端部に、前記受け部に係止される爪体が一体に成形され、
前記爪体は、その一端部が前記基板保持枠の中央側に近づく方向に弾性変形可能に構成され、
前記基板保持枠の前記両端部に設けられる爪体の前記一端部同士の間隔は、
前記爪体が前記基板保持枠の中央側に近づく方向に弾性変形することで、前記対向する壁面に設けられる受け部同士の間隔より小さくなり、
前記弾性変形を解除することで、前記受け部同士の間隔より大きくなること
を特徴とする電子機器筐体への基板取付構造。
【請求項２】
前記爪体の一端部には、前記受け部による係止を解除する係止解除部が設けられ、
前記係止解除部は、前記基板保持枠を前記電子機器筐体に装着した際に、電子機器筐体の開口端より外側に突出すること
を特徴とする請求項１に記載の電子機器筐体への基板取付構造。
【請求項３】
前記爪体は、
前記爪体の一端部側が自由端であり、且つ前記爪体の他端部側が前記基板保持枠の本体と一体に成形される固定端であるとともに、
前記電子機器筐体への挿入方向側であって、前記固定端と前記自由端との間に折り返し部分が形成されていること
を特徴とする請求項１又は請求項２に記載の電子機器筐体への基板取付構造。
【請求項４】
前記爪体と、前記受け部が成形される壁部と、に嵌め合わされることにより、前記基板保持枠を前記電子機器筐体に固定する枠固定部材を有すること
を特徴とする請求項１から請求項３のいずれか１項に記載の電子機器筐体への基板取付構造。
【発明の詳細な説明】
【技術分野】
【０００１】
本発明は、一端が開口しており、その開口端から基板が挿脱可能であり、挿入された基板が取り付けられる電子機器筐体への基板取付構造に関するものである。
【背景技術】
【０００２】
従来、この種の電子機器筐体においては、拡張ボード等の基板がマザーボードのコネクタに垂直に立てて接続されるとともに、基板を電子機器筐体に固定するためのブラケットにネジ止めされた状態で電子機器筐体に固定される（例えば、特許文献１）。特許文献１の電子機器筐体では、基板を装着したブラケットがネジ止めにより電子機器筐体に固定される。そのため、特許文献１の電子機器筐体では、電子機器筐体に対して基板の追加或いは取り外しを行う際に、ネジを回す作業が必要となる。それゆえに、電子機器筐体に対する基板の追加或いは取り外し作業が煩雑になるという問題があった。
【０００３】
そこで、特許文献２に示すように、基板を保持するためのボードケース（拡張ユニット）と、拡張ユニットを収納するためのライザーボードユニットと、を備え、ネジを回す作業を行うことなく、拡張ユニットをライザーボードユニットに挿入する作業のみで基板の追加或いは取り外し作業が可能な基板の取付構造が開発されている。
【０００４】
特許文献２の基板の取付構造においては、凸状（又は凹状）の引っ掛かり部を先端に備えたバネ特性を有する長板が拡張ユニットに設けられるとともに、長板の引っ掛かり部が嵌り込めるよう形成された凹状部（又は凸状部）がライザーボードユニットに設けられている。そして、拡張ユニットをライザーボードユニットに挿入する際に、長板の先端にある凸状（又は凹状）の引っ掛かり部が凹状部（又は凸状部）に当たることにより長板が反り返り、さらに、拡張ユニットを差し込むことによりこの反り返りが元に戻って長板の引っ掛かり部が凹状部（又は凸状部）に嵌め込まれる。これにより、拡張ユニットがライザーボードユニットに固定される。
【先行技術文献】
【特許文献】
【０００５】
【特許文献１】特開２０１６−１２２３１１号公報
【特許文献２】特開平１１−３４０６４３号公報
【発明の概要】
【発明が解決しようとする課題】
【０００６】
しかしながら、特許文献２に示す基板の取付構造においては、拡張ユニットに設けられる長板の引っ掛かり部の嵌り込みを解除するためのボタンが基板の挿入始端側に設けられているため、電子機器筐体がレール等に固定されている場合には、当該ボタンの操作を容易に行うことができず、基板の追加或いは取り外し作業が煩雑になるという問題があった。また、拡張ユニットに設けられる長板がボードケースと別体に設けられているため部品点数が多くなり取付構造が複雑になるという問題点があった。
【０００７】
そこで、本発明は、基板の取付構造が簡素であり、基板の追加及び取り外し作業を容易に行うことが可能な電子機器筐体への基板取付構造を提供することを目的とする。
【課題を解決するための手段】
【０００８】
本発明の解決しようとする課題は以上であり、次にこの課題を解決するための手段を説明する。
即ち、本発明の電子機器筐体への基板取付構造は、一端が開口しており、その開口端から基板が挿脱可能であり、挿入された基板が取り付けられる電子機器筐体への基板取付構造であって、前記電子機器筐体には、その開口側の壁部において互いに対向する内壁面のそれぞれに一体に成形され、前記内壁面から突出する受け部が設けられ、前記基板の前記電子機器筐体への挿入終端側から前記基板を保持した状態で前記電子機器筐体の開口端から挿脱される基板保持枠を備え、前記基板保持枠には、前記電子機器筐体への挿脱方向と直交する方向の両端部に、前記受け部に係止される爪体が一体に成形され、前記爪体は、その一端部が前記基板保持枠の中央側に近づく方向に弾性変形可能に構成され、前記基板保持枠の前記両端部に設けられる爪体の前記一端部同士の間隔は、前記爪体が前記基板保持枠の中央側に近づく方向に弾性変形することで、前記対向する壁面に設けられる受け部同士の間隔より小さくなり、前記弾性変形を解除することで、前記受け部同士の間隔より大きくなるものである。
上記構成では、電子機器筐体の受け部に係止される爪体が、基板の電子機器筐体への挿入終端側に基板保持枠と一体に成形されている。
【０００９】
本発明の電子機器筐体への基板取付構造は、上記電子機器筐体への基板取付構造において、前記爪体の一端部には、前記受け部による係止を解除する係止解除部が設けられ、前記係止解除部は、前記基板保持枠を前記電子機器筐体に装着した際に、電子機器筐体の開口端より外側に突出するものである。
上記構成では、電子機器筐体の開口端より外側から受け部による係止を解除することができる。
【００１０】
本発明の電子機器筐体への基板取付構造は、上記電子機器筐体への基板取付構造において、前記爪体は、前記爪体の一端部側が自由端であり、且つ前記爪体の他端部側が前記基板保持枠の本体と一体に成形される固定端であるとともに、前記電子機器筐体への挿入方向側であって、前記固定端と前記自由端との間に折り返し部分が形成されているものである。
上記構成では、爪体の電子機器筐体への挿入方向側と反対側が自由端となる。
【００１１】
本発明の電子機器筐体への基板取付構造は、上記電子機器筐体への基板取付構造において、前記爪体と、前記受け部が成形される壁部と、に嵌め合わされることにより、前記基板保持枠を前記電子機器筐体に固定する枠固定部材を有するものである。
上記構成では、基板保持枠は、枠固定部材を介して電子機器筐体に固定される。
【発明の効果】
【００１２】
本発明の電子機器筐体への基板取付構造によれば、電子機器筐体の受け部に係止される爪体が、基板の電子機器筐体への挿入終端側に成形されていることから、電子機器筐体の開口端側で爪体の操作を行うことができる。また、爪体が弾性変形可能に基板保持枠と一体に成形されていることから基板の取付構造を構成する部品の点数を少なくすることができる。それゆえに、基板の取付構造が簡素であり、電子機器筐体への基板の追加及び取り外し作業を容易に行うことができる。
【図面の簡単な説明】
【００１３】
【図１】本発明に係る電子機器筐体への基板取付構造を示す斜視図である。
【図２】本発明に係る電子機器筐体への基板取付構造において基板を電子機器筐体に挿入する場合の斜視図である。
【図３】本発明に係る電子機器筐体の正面図である。
【図４】本発明に係る基板保持枠の図である。
【図５】本発明に係る電子機器筐体に対して基板保持枠を挿入する場合の図である。
【図６】本発明に係る電子機器筐体への基板取付構造において固定補強材を用いた場合の斜視図である。
【図７】本発明に係る固定補強材の図である。
【発明を実施するための形態】
【００１４】
本発明に係る電子機器筐体１０への基板９０の取付構造について説明する。
（電子機器筐体１０）
図１から図３に示すように、電子機器筐体１０は、前側端に開口部１１を有する樹脂製の略矩形状の筐体であり、背面壁部１２と、上側壁部１３と、下側壁部１４と、右側壁部１５と、左側壁部１６と、を有する。電子機器筐体１０は、開口部１１から拡張ボード等の基板９０を挿入し、その内部に取り付けて収納する。電子機器筐体１０は、電子機器筐体１０を壁面に設置するための壁取付部１７が背面壁部１２に設けられ、壁取付部１７にネジ等の固定部材（図示せず）を取り付けることで壁面に設置される。また、電子機器筐体１０は、ＤＩＮレール等の支持レール（図示せず）と係合可能な係合部材を背面壁部１２に備え、当該係合部材を介して支持レールに着脱可能に支持されるように構成されている。電子機器筐体１０は、開口部１１に、複数の基板９０（図１では４体の基板９０）を挿脱するための複数の受け部２０及びガイドレール２１と、基板９０の挿入始端である前側端部９１を受ける複数のコネクタ１８と、を備える。
【００１５】
受け部２０は、開口部１１側の上側壁部１３及び下側壁部１４（「壁部」の一例）において互いに対向する上側内壁面１３Ａ及び下側内壁面１４Ａ（「内壁面」の一例）から正面視略凹形状に突出して形成される部分であり、上側内壁面１３Ａ及び下側内壁面１４Ａのそれぞれに一体に成形される。受け部２０は、開口部１１の上側及び下側の開口端１１Ａに沿って、並列に複数箇所（図１では上側内壁面１３Ａ及び下側内壁面１４Ａに各４箇所）形成されている。上側内壁面１３Ａの受け部２０と下側内壁面１４Ａの受け部２０とは、その凹み部分が互いに対向するように配置される。
【００１６】
ガイドレール２１は、上側内壁面１３Ａ及び下側内壁面１４Ａにおいて溝状に成形される部分であり、上側内壁面１３Ａ及び下側内壁面の開口部１１側から背面壁部１２側に向けて延設される。ガイドレール２１は、上側内壁面１３Ａ及び下側内壁面１４Ａに複数箇所（図１では上側内壁面１３Ａ及び下側内壁面１４Ａに各４箇所）形成され、互いに平行に配置されている。上側内壁面１３Ａのガイドレール２１と下側内壁面１４Ａのガイドレール２１とは、その溝状の凹み部分が互いに対向するように配置される。基板９０は、対向する上側内壁面１３Ａのガイドレール２１と下側内壁面１４Ａのガイドレール２１との当該凹み部分の間において挿脱される。
【００１７】
（フェイスカバー３０）
図２及び図４に示すように、基板９０は、前側端部９１（電子機器筐体１０への挿入始端）側と反対側の端部である後側端部９２（電子機器筐体１０への挿入終端）側からフェイスカバー３０（「基板保持枠」の一例）によって保持された状態で電子機器筐体１０に収納される。フェイスカバー３０は、基板９０を電子機器筐体１０内で保持するための枠体であるとともに、基板９０を電子機器筐体１０の開口端１１Ａから挿脱するための枠体であり、本体３１と、爪体３２と、被ガイド体３３と、から構成されている。
【００１８】
本体３１は、フェイスカバー３０の主たる部分であり、樹脂製の長尺状の部材により構成される。本体３１は、フェイスカバー３０を電子機器筐体１０に挿入した際に、電子機器筐体１０の開口部１１を塞ぐように、開口部１１側の上側壁部１３と下側壁部１４との間に配置される。本体３１は、基板９０の後側端部９２を支持するとともに、基板９０の後側端部９２側に設けられるピンコネクタ等のコネクタ部９５を支持可能に構成されている。
【００１９】
爪体３２は、フェイスカバー３０が電子機器筐体１０に収納される際に、電子機器筐体１０の受け部２０に係止される部分である。爪体３２は、本体３１の長手方向の両端部に、本体３１と一体に成形された樹脂製の部材により構成される。すなわち、爪体３２は、フェイスカバー３０の電子機器筐体１０への挿入方向Ｓ（挿脱方向）と直交する方向の両端部に設けられている。
【００２０】
爪体３２は、その一端部側が自由端であり、且つその他端部側が本体３１と一体に成形される固定端であるとともに、電子機器筐体１０への挿入方向Ｓ側であって、固定端と自由端との間に折り返し部分が形成されている。具体的には、爪体３２は、側面視略Ｕ字状に形成され、電子機器筐体１０への挿入方向Ｓと反対方向に延設され、延設方向の先端が自由端である外側部材３２ａと、本体３１に連結された固定端を有し、電子機器筐体１０への挿入方向Ｓに延設される内側部材３２ｂと、内側部材３２ｂから外側部材３２ａへ折り返す部分である折り返し部材３２ｃと、から構成される。外側部材３２ａ、内側部材３２ｂ、折り返し部材３２ｃの幅方向（電子機器筐体１０への挿入方向Ｓと水平に直交する方向）の長さは、電子機器筐体１０の受け部２０の凹み部分の幅と略同程度の長さである。
【００２１】
爪体３２は、フェイスカバー３０（本体３１）の中央側に近づく方向に弾性変形する。具体的には、爪体３２は、外側部材３２ａの自由端側部分（外側部材３２ａの一端部）を押圧することで、外側部材３２ａが折り返し部材３２ｃを支点に内側部材３２ｂに近づく方向に弾性変形する。フェイスカバー３０においては、本体３１の両端部に設けられている爪体３２を弾性変形させることにより、爪体３２の外側部材３２ａの一端部同士の間隔が、電子機器筐体１０の上側壁部１３及び下側壁部１４に設けられる受け部２０同士の間隔より小さくなる。
【００２２】
爪体３２は、外側部材３２ａの外側面の中央部に、凸状の係止部３２ｄが外側部材３２ａと一体に成形されている。係止部３２ｄは、フェイスカバー３０が電子機器筐体１０に収納される際に、電子機器筐体１０の受け部２０により直接係止される部分であり、電子機器筐体１０への挿入方向Ｓに傾斜した（傾斜面が電子機器筐体１０への挿入方向Ｓ側に向いた）側面視三角形状（山形状）の樹脂製の突出部材により成形される。係止部３２ｄは、外側部材３２ａの自由端側部分（外側部材３２ａの一端部）を押圧して爪体３２を弾性変形させることで、内側部材３２ｂに近づく方向に移動し、受け部２０による係止が解除される。すなわち、外側部材３２ａの自由端側部分（外側部材３２ａの一端部）が、受け部２０による係止部３２ｄの係止を解除するための係止解除部３２ｅであり、フェイスカバー３０を電子機器筐体１０に装着した際に、係止解除部３２ｅを操作することで受け部２０による係止部３２ｄの係止が解除される。
【００２３】
係止解除部３２ｅは、フェイスカバー３０を電子機器筐体１０に装着した際に、電子機器筐体１０の開口部１１側であって、開口部１１の開口端１１Ａより外側に突出するように設けられる。すなわち、係止解除部３２ｅは、基板９０の挿入始端側（前側端部９１側）と反対側の基板９０の挿入終端側（後側端部９２側）の位置に設けられ、開口部１１側から操作可能に構成されている。このように、係止解除部３２ｅが電子機器筐体１０の開口部１１側であって、開口部１１の開口端１１Ａより外側に突出して設けられることで、電子機器筐体１０がレール等に固定されている場合であっても、係止解除部３２ｅを容易に操作することができる。
係止解除部３２ｅは、その外側面及び内側面に突起部３２ｆが外側部材３２ａと一体に成形されている。突起部３２ｆは、係止解除部３２ｅ（外側部材３２ａの自由端側）を補強するための突起である。
【００２４】
被ガイド体３３は、基板９０の上側端部９３及び下側端部９４を支持するとともに、フェイスカバー３０を電子機器筐体１０に挿脱する際に、電子機器筐体１０のガイドレール２１に案内される部分である。被ガイド体３３は、本体３１の長手方向の両端部に爪体３２と平行に設けられ、本体３１と一体に成形された樹脂製の部材により構成される。
【００２５】
被ガイド体３３は、本体３１の長手方向の両端部から電子機器筐体１０への挿入方向Ｓに延設される長尺状の部材であり、基板９０の上側端部９３及び下側端部９４の全体を覆うように構成されている。被ガイド体３３は、その一端部側が自由端であり、且つその他端部側が本体３１と一体に成形される固定端である。
【００２６】
被ガイド体３３は、その一方側である内側面に基板保持部３３ａが一体に成形されている。基板保持部３３ａは凹状の長溝部分であり、基板９０の上側端部９３及び下側端部９４が嵌め込まれる。基板保持部３３ａは、基板９０の上側端部９３及び下側端部９４の前側端部９１側（電子機器筐体１０への挿入始端）から後側端部９２側（電子機器筐体１０への挿入終端）までを保持するように、被ガイド体３３の長手方向に沿って延設される。すなわち、基板保持部３３ａは、基板９０の挿入方向Ｓ（挿脱方向）に沿って延設され、基板９０の挿入方向Ｓ（挿脱方向）と直交する方向から基板９０を保持する。
【００２７】
被ガイド体３３は、その他方側である外側面にリブ部３３ｂが一体に成形されている。すなわち、リブ部３３ｂは、基板保持部３３ａが成形されている面と反対側の面に成形されている。リブ部３３ｂは、凸状に突出した長尺の突出部分であり、電子機器筐体１０のガイドレール２１に摺動可能に嵌め込まれる。リブ部３３ｂは、被ガイド体３３の長手方向に沿って延設される。すなわち、リブ部３３ｂは、基板保持部３３ａにおいて保持される基板９０の前側端部９１側（電子機器筐体１０への挿入始端）から後側端部９２側（電子機器筐体１０への挿入終端）に沿って形成される。リブ部３３ｂは、被ガイド体３３の中央部分で分割して設けられる。分割されたリブ部３３ｂの間（被ガイド体３３の中央部）には、基板９０を基板保持部３３ａに係止させるための係止孔３３ｃが設けられている。基板９０に設けられる引っ掛け部分を係止孔３３ｃに引っ掛けることで、基板９０と基板保持部３３ａとの接続が強化される。
【００２８】
このように被ガイド体３３を形成することで、基板９０の上側端部９３及び下側端部９４の略全体（電子機器筐体１０への挿入始端から挿入終端まで）が被ガイド体３３（リブ部３３ｂ）を介してガイドレール２１に案内される。そのため、基板９０（被ガイド体３３）に対するガイドレール２１の有効範囲が広くなり、電子機器筐体１０の開口端１１Ａ側で電子機器筐体１０に対する基板９０の位置決めを行うことができる。
【００２９】
次に、電子機器筐体１０への基板９０の取り付け方法について説明する。
図２及び図５（ａ）に示すように、フェイスカバー３０を装着した基板９０を電子機器筐体１０の開口端１１Ａから挿入する。この時、フェイスカバー３０の被ガイド体３３のリブ部３３ｂを電子機器筐体１０の開口端１１Ａ側から延設されるガイドレール２１に挿入する。これにより、電子機器筐体１０に対するフェイスカバー３０の位置決めを行う。すなわち、電子機器筐体１０の開口端１１Ａ側において電子機器筐体１０に対する基板９０の位置決めを行うことができる。
【００３０】
続いて、図５（ｂ）に示すように、フェイスカバー３０の爪体３２を電子機器筐体１０の受け部２０に挿入する。これにより、被ガイド体３３のリブ部３３ｂがガイドレール２１に沿って案内されるとともに、爪体３２の係止部３２ｄが受け部２０に当接する。さらに、フェイスカバー３０の本体３１を電子機器筐体１０内に押し込むことで、爪体３２の係止部３２ｄが受け部２０により押圧され、図５（ｃ）に示すように、爪体３２の外側部材３２ａが折り返し部材３２ｃを支点に内側部材３２ｂに近づく方向に押し込まれる。すなわち、本体３１の両端部に設けられる爪体３２の係止部３２ｄ同士の間隔が、電子機器筐体１０の上側壁部１３及び下側壁部１４に設けられる受け部２０同士の間隔より小さくなる。そして、係止部３２ｄの頂部が受け部２０を通過するまでフェイスカバー３０の本体３１を電子機器筐体１０内に押し込むことで、図５（ｄ）に示すように、係止部３２ｄが受け部２０に嵌り込むとともに、外側部材３２ａが元に位置に戻る。これにより、フェイスカバー３０を装着した基板９０が電子機器筐体１０に取り付けられる。
【００３１】
次に、電子機器筐体１０からの基板９０の取り外し方法について説明する。フェイスカバー３０を装着した基板９０が電子機器筐体１０に取り付けられた状態で、本体３１の両端部に設けられるそれぞれの爪体３２の係止解除部３２ｅ（外側部材３２ａの自由端部）を操作する。具体的には、本体３１の両端部に設けられるそれぞれの爪体３２の外側部材３２ａを本体３１の中央側に押圧する。これにより、外側部材３２ａが折り返し部材３２ｃを支点に内側部材３２ｂに近づく方向に押し込まれ、本体３１の両端部に設けられる爪体３２の係止部３２ｄ同士の間隔が、電子機器筐体１０の上側壁部１３及び下側壁部１４に設けられる受け部２０同士の間隔より小さくなる。すなわち、受け部２０による係止部３２ｄの係止が解除される。
【００３２】
続いて、外側部材３２ａを本体３１の中央側に押圧した状態で、フェイスカバー３０を電子機器筐体１０の開口端１１Ａから外側に引き出す。これにより、受け部２０による爪体３２の嵌り込みが外れ、続いて、ガイドレール２１による被ガイド体３３の案内が外れる。すなわち、フェイスカバー３０を装着した基板９０が電子機器筐体１０から取り外される。
【００３３】
以上のように、本実施の形態によると、電子機器筐体１０の受け部２０に係止される爪体３２が、基板９０の電子機器筐体１０への挿入終端側に成形されていることから、電子機器筐体１０の開口端１１Ａ側で爪体３２の操作を行うことができる。また、爪体３２が弾性変形可能にフェイスカバー３０と一体に成形されていることから基板９０の取付構造を構成する部品の点数を少なくすることができる。それゆえに、基板９０の取付構造が簡素であり、電子機器筐体１０への基板９０の追加及び取り外し作業を容易に行うことができる。
【００３４】
なお、本実施の形態においては、フェイスカバー３０の被ガイド体３３により基板９０を支持しているが、これに限定されるものではなく、基板９０をフェイスカバー３０の本体３１のみで支持しても構わない。この場合、基板９０の上側端部９３及び下側端部９４が電子機器筐体１０のガイドレール２１により案内される。
【００３５】
また、本実施の形態においては、電子機器筐体１０の受け部２０によりフェイスカバー３０の爪体を係止することで基板９０を電子機器筐体１０に取り付ける構造であるが、これに限定されるものではなく、例えば、図６に示すような固定補強材４０（「枠固定部材」の一例）を用いて、基板９０を電子機器筐体１０に取り付ける構造であっても構わない。
【００３６】
図６に示すように、固定補強材４０は、電子機器筐体１０に基板９０（フェイスカバー３０）を取り付けた上で、フェイスカバー３０の爪体３２及び被ガイド体３３と、電子機器筐体１０の上側壁部１３及び下側壁部１４と、に嵌め合わされる。これにより、フェイスカバー３０と電子機器筐体１０の上側壁部１３及び下側壁部１４とが固定補強材４０を介して固定される。
【００３７】
図７に示すように、固定補強材４０は、側面視略Ｊ字状の樹脂製の部材であり、電子機器筐体１０への挿入方向Ｓに延設され、延設方向の先端が自由端である第１壁部４１と、第１壁部４１に対向して電子機器筐体１０への挿入方向Ｓに延設され、延設方向の先端が自由端である第２壁部４２と、第１壁部４１から第２壁部４２へ折り返す部分である折り返し壁部４３と、から構成される。
【００３８】
第１壁部４１と第２壁部４２との間には、複数（図７では３箇所）の係合突出部４４が折り返し壁部４３から側面視略Ｌ字状に突出して形成されている。係合突出部４４の上部には、電子機器筐体１０の上側壁部１３或いは下側壁部１４を受ける壁受け部４４ａが設けられる。固定補強材４０においては、壁受け部４４ａと第１壁部４１の内壁面との間に上側壁部１３或いは下側壁部１４が嵌め込まれる。
【００３９】
第１壁部４１と第２壁部４２との間であって隣り合う係合突出部４４の間には、フェイスカバー３０の爪体３２の外側部材３２ａ（係止解除部３２ｅ）を受ける爪受け部４３ａが設けられている。爪受け部４３ａには、固定補強材４０を電子機器筐体１０に取り付ける際に、爪体３２の外側部材３２ａ（係止解除部３２ｅ）が嵌め込まれる。爪受け部４３ａの入口部を形成する係合突出部４４の突出先端４４ｂは、爪体３２の外側部材３２ａ（係止解除部３２ｅ）を爪受け部４３ａに嵌め込み易くするためにテーパー状に形成されている。
【００４０】
第２壁部４２における電子機器筐体１０への挿入方向Ｓ側端部には、複数（図７では４箇所）の差し込み部４２ａが設けられている。差し込み部４２ａは、固定補強材４０を電子機器筐体１０に取り付ける際に、フェイスカバー３０の爪体３２の外側部材３２ａと内側部材３２ｂとの間に折り返し部材３２ｃに向けて差し込まれる。差し込み部４２ａは、その先端部が外側部材３２ａと内側部材３２ｂとの間に差し込まれ易くするために湾曲状に形成されている。
【符号の説明】
【００４１】
１０                      電子機器筐体
１１Ａ                    開口端
２０                      受け部
３０                      フェイスカバー（基板保持枠）
３２                      爪体
９０                      基板
【図１】
2019021850.tif 000003
【図２】
2019021850.tif 000004
【図３】
2019021850.tif 000005
【図４】
2019021850.tif 000006
【図５】
2019021850.tif 000007
【図６】
2019021850.tif 000008
【図７】
2019021850.tif 000009